(57)【要約】【課題】原子力プラントの一部のセンサからの検出信号が失われ、事故事象の推定が困難になった場合や、シミュレーションが困難になった場合でも、将来のプラント状態を予測することができるプラント状態解析装置を提供する。【解決手段】複数のセンサからの検出信号と事故事象推定装置３で推定された事故事象とに基づいて、原子力プラントの将来のプラント状態を解析するプラントシミュレータ４と、予め想定された複数の事故事象のそれぞれに対応して設定された入力情報に基づいて予め解析された将来のプラント状態の解析結果が格納された解析結果データベース９とを備え、原子力プラントの将来のプラント状態として出力する解析結果を、プラントシミュレータ４の解析結果と解析結果データベース９から検索された解析結果との何れかに切り換える。【選択図】  図１
2016080585.tif 000002
【特許請求の範囲】
【請求項１】
原子力プラントに配置された複数のセンサからの検出信号に基づいて原子力プラントの事故事象を推定する事故事象推定装置と、
前記複数のセンサからの検出信号と前記事故事象推定装置で推定された事故事象とに基づいて、前記原子力プラントの将来のプラント状態を解析するプラントシミュレータと、
予め想定された複数の事故事象のそれぞれに対応して設定された入力情報に基づいて予め解析された将来のプラント状態の解析結果が格納された解析結果データベースと、
前記複数のセンサからの検出信号に基づいて、前記解析結果データベースに格納された解析結果を検索する解析結果検索装置と、
前記複数のセンサからの検出信号に基づいて、前記複数のセンサの状態が正常であるかどうかを判定するセンサ状態判定装置と、
前記原子力プラントの将来のプラント状態として出力する解析結果を、前記プラントシミュレータの解析結果と前記解析結果検索装置により前記解析結果データベースから検索された解析結果との何れかに切り換える解析結果切換装置と
を備えたことを特徴とするプラント状態解析装置。
【請求項２】
請求項１記載のプラント状態解析装置において、
前記解析結果切換装置は、前記事故事象推定装置で推定された事故事象と前記センサ状態判定装置の判定結果の少なくとも一方に基づいて、前記原子力プラントの将来のプラント状態として出力する解析結果を、前記プラントシミュレータの解析結果と前記解析結果検索装置により前記解析結果データベースから検索された解析結果との何れかに切り換えることを特徴とするプラント状態解析装置。
【請求項３】
請求項１記載のプラント状態解析装置において、
前記解析結果切換装置は、前記事故事象推定装置で推定された事故事象と前記センサ状態判定装置の判定結果の少なくとも一方に基づいて、前記原子力プラントの将来のプラント状態として出力する解析結果の候補を複数提示し、前記複数の候補から運転員が選択した解析結果に基づいて、前記プラントシミュレータの解析結果と前記解析結果検索装置により前記解析結果データベースから検索された解析結果との何れかに切り換えることを特徴とするプラント状態解析装置。
【請求項４】
請求項１記載のプラント状態解析装置において、
前記解析結果検索装置は、前記解析結果データベースに格納された解析結果のうち、前記原子力プラントに配置された前記複数のセンサからの検出信号にもっとも類似した前記入力情報に基づいて得られた解析結果を検索することを特徴とするプラント状態解析装置。
【請求項５】
請求項１記載のプラント状態解析装置において、
前記複数のセンサは、温度センサ、圧力センサ、水位センサ、流量センサ、放射線センサの何れかを含むことを特徴とするプラント状態解析装置。
【請求項６】
請求項１記載のプラント状態解析装置において、
前記解析結果切換装置は、前記センサ状態判定装置において、前記複数のセンサの検出信号が異常と判定された場合に、前記解析結果検索装置により前記解析結果データベースから検索された解析結果に切り換えることを特徴とするプラント状態解析装置。
【請求項７】
請求項１記載のプラント状態解析装置において、
前記解析結果切換装置は、前記事故事象推定装置における事故事象の推定が困難である場合に、前記解析結果検索装置により前記解析結果データベースから検索された解析結果に切り換えることを特徴とするプラント状態解析装置。
【発明の詳細な説明】
【技術分野】
【０００１】
本発明は、原子力プラントの運転状態を解析するプラント状態解析装置に関する。
【背景技術】
【０００２】
原子力プラントにおいて事故や異常が発生した場合、運転員は各種センサ値等により事故事象を推定し、事故時操作手順所等に基づいて運転操作を行う。しかしながら、事故等の発生時には多数の警報が発報され、また、多数のセンサ値を確認する必要があるため、運転員の負担が非常に大きく、プラントで発生している事故事象の推定及びプラント状態の把握を正確に行うことは困難である。
【０００３】
このような原子力プラントの事故発生時におけるプラント状態の把握及び進展の予測に関する技術として、例えば、特許文献１（特開平６−２２２１９１号公報）には、現時点におけるプラントの運転状態を模擬する実時間シミュレータと、将来におけるプラントの運転状態を模擬する予測シミュレータと、収集された実プラントのデータを基に異常状態を診断する診断装置とを少なくとも備え、異常状態及び手動操作等の境界条件等を含む初期値を設定して実時間シミュレータと予測シミュレータを運転し、運転者にプラントの運転支援情報を伝えるプラント状態予測装置において、実プラントに異常状態が発生し、診断装置によりその異常状態が判別された後、運用者から上記予測シミュレータへの予測再運転要求があった時に、この予測再運転要求時における上記予測シミュレータの内部データを上記予測シミュレータの初期値として再設定し、この予測シミュレータを再運転するものが開示されている。
【０００４】
また、プラント状態の把握及び進展の予測に関するその他の技術として、例えば、特許文献２（特開平６−１０３４８１号公報）には、実プラントから入力されるプラントデータよりプラントに発生した異常の診断を行うプラント異常診断部と、前記プラント異常診断部による異常診断後に起動されて、異常原因により最も影響を受けるプロセス量、復旧操作時に監視すべきプロセス量を決定する重要プロセス量決定部と、前記プラント異常診断部からの操作ガイドの情報を入力して、当該操作ガイドの定量性を選択する操作量決定部と、前記プラントに発生した異常に応じて最適な物理モデルの選択・決定を行うモデル選択・決定部と、選択された前記物理モデルに与えられる境界条件が格納された境界条件ファイルと、前記モデル選択・決定部にて選択された物理モデル、および前記境界条件ファイルからの境界条件を用いて、選択された操作を実施したときに、異常がどのように進展するかを予測する予測シミュレーション部とを備えたプラント運転監視システムにおいて、前記予測シミュレーション部に、前記プラントに異常が発生していない通常運転時に前記プラントから負荷要求関連の信号を入力して、前記予測モデルと同一のモデルを前記通常運転時から周期的に計算し、前記予測モデル用の初期値を作成する機能を持たせるものが開示されている。
【先行技術文献】
【特許文献】
【０００５】
【特許文献１】特開平６−２２２１９１号公報
【特許文献２】特開平６−１０３４８１号公報
【発明の概要】
【発明が解決しようとする課題】
【０００６】
ところで、原子力プラントにおいて事故や異常が発生した場合、或いはそれらが進展した場合には、原子力プラントに配置されたセンサからの検出信号の一部が失われることが考えられる。この場合には、将来のプラント状態を解析するための条件として必要なパラメータが失われることとなり、特許文献１及び２に記載の従来技術においては、事故事象の推定だけではなく、将来のプラント状態を解析して予測することが困難になってしまうという問題点があった。
【０００７】
本発明は上記に鑑みてなされたものであり、原子力プラントの一部のセンサからの検出信号が失われ、事故事象の推定が困難になった場合や、シミュレーションが困難になった場合でも、将来のプラント状態を予測することができるプラント状態解析装置を提供することを目的とする。
【課題を解決するための手段】
【０００８】
上記目的を達成するために、本発明は、原子力プラントに配置された複数のセンサからの検出信号に基づいて原子力プラントの事故事象を推定する事故事象推定装置と、前記複数のセンサからの検出信号と前記事故事象推定装置で推定された事故事象とに基づいて、前記原子力プラントの将来のプラント状態を解析するプラントシミュレータと、予め想定された複数の事故事象のそれぞれに対応して設定された入力情報に基づいて予め解析された将来のプラント状態の解析結果が格納された解析結果データベースと、前記複数のセンサからの検出信号に基づいて、前記解析結果データベースに格納された解析結果を検索する解析結果検索装置と、前記複数のセンサからの検出信号に基づいて、前記複数のセンサの状態が正常であるかどうかを判定するセンサ状態判定装置と、前記原子力プラントの将来のプラント状態として出力する解析結果を、前記プラントシミュレータの解析結果と前記解析結果検索装置により前記解析結果データベースから検索された解析結果との何れかに切り換える解析結果切換装置とを備えたものとする。
【発明の効果】
【０００９】
原子力プラントの一部のセンサからの検出信号が失われ、事故事象の推定が困難になった場合や、シミュレーションが困難になった場合でも、将来のプラント状態を予測することができる。
【図面の簡単な説明】
【００１０】
【図１】本発明の一実施の形態に係るプラント状態解析システムの全体構成を概略的に示す図である。
【図２】センサ信号入力装置を介して得られるセンサ群の検出信号の一例を時系列で示す図である。
【図３】事故事象推定装置における事故事象の推定基準の一例を示す図である。
【図４】原子力プラントに複数設置された複数のセンサのうち主蒸気の流量センサにより検出された主蒸気流量の計測値を一例として示す図である。
【図５】解析結果出力装置により表示される解析結果出力画面の一例を示す図である。
【図６】本発明の一実施の形態に係るプラント状態解析処理を示すフローチャートである。
【発明を実施するための形態】
【００１１】
以下、本発明の実施の形態を図面を参照しつつ説明する。
【００１２】
図１は、本発明の一実施の形態に係るプラント状態解析システムの全体構成を概略的に示す図である。
【００１３】
図１において、プラント状態解析システムは、原子力プラントで発生した事故事象等を診断してその後のプラント状態の進展を解析し推定するものであり、原子力プラントに配置された複数のセンサにより構成されるセンサ群１からの検出信号（計測値）が入力されるセンサ信号入力装置２と、センサ信号入力装置２を介して得られる検出信号（計測値）に基づいて原子力プラントの事故事象を推定する事故事象推定装置２と、センサ信号入力装置２を介して得られるセンサ群１からの検出信号（計測値）と事故事象推定装置で推定された事故事象とに基づいて、原子力プラントの将来のプラント状態を解析するプラントシミュレータ３と、予め想定された複数の事故事象のそれぞれに対応して設定された入力情報（初期値）に基づいて予め解析された将来のプラント状態の解析結果が格納された解析結果データベース９と、センサ信号入力装置２を介して得られるセンサ群１からの検出信号（計測値）に基づいて、解析結果データベース９に格納された解析結果を検索する解析デ結果検索装置８と、センサ信号入力装置２を介して得られるセンサ群１からの検出信号（計測値）に基づいて、センサ群１の各センサの状態が正常であるかどうかを判定するセンサ状態判定装置５と、原子力プラントの将来のプラント状態として出力する解析結果を、プラントシミュレータ４の解析結果と解析結果検索装置８により解析結果データベースから検索された解析結果の何れを採用するかを判定することにより切り換える解析結果切換装置６と、解析結果切換装置６からの判定結果に基づいて、プラントシミュレータ４からの解析結果、又は、解析結果検索装置８からの解析結果の何れかを表示装置等に出力する解析結果出力装置７とから概略構成されている。
【００１４】
センサ群１は、原子力プラントに配置された複数のセンサにより構成されており、温度センサ、圧力センサ、水位センサ、流量センサ、及び放射線センサなど複数種類のセンサを含んでいる。
【００１５】
センサ信号入力装置２は、センサ群１の各センサの検出信号（計測値）を受信し、プロセス計算機などの計算機へ入力する。
【００１６】
図２は、センサ信号入力装置を介して取得されるセンサ群の検出信号の一例を時系列で示す図である。
【００１７】
図２に示すように、センサ群１を構成する各センサの検出信号（計測値）の時系列データ２０は、例えば、流量センサの計測値２２（主蒸気流量Ａ（％））や温度センサの計測値２３（格納容器内温度Ａ（℃））、圧力センサの計測値２４（格納容器内圧力Ａ（ｋＰａ））、放射線センサの計測値２５（格納容器内放射線量（Ｇｙ／ｈｒ））などの各データが時刻２１に対応して取得されている。
【００１８】
事故事象推定装置３は、センサ信号入力装置２を介して入力された各センサの検出信号（計測値）に基づいて、原子力プラントで発生した事故事象を推定する。事故事象推定装置３は、例えば、センサ群１の各センサの検出信号と事故事象との関係を予め規定しておき、その関係を用いて各センサの検出信号（計測値）から事故事象を推定する。
【００１９】
図３は、事故事象推定装置における事故事象の推定基準の一例を示す図である。
【００２０】
図３に示すように、事故事象推定装置における事故事象の推定基準３０は、推定対象となる事故事象と各センサの検出信号との関係で示される。図３においては、事故事象３１の例として、主蒸気管破断や給水喪失、スクラム等の事故事象を示しており、それぞれ、主蒸気流量３２や格納容器内温度３３、格納容器内圧力３４、格納容器内放射線量３５などの各センサの検出信号（計測値）に基づいて事故事象が推定される。例えば、主蒸気流量３２（主蒸気流量を検出する複数のセンサの計測値の平均値）が１０％以上低下し、格納容器内温度３３（格納容器内温度を検出する複数のセンサの計測値の平均値）が６０℃以上であり、格納容器内圧力３４（格納容器内圧力を検出する複数のセンサの計測値の平均値）が１００ｋＰａ以上であり、格納容器内放射線量３５（格納容器内放射線量を検出する複数のセンサの計測値の平均値）が０．１Ｇｙ／ｈｒである場合には、事故事象が主蒸気管破断であると推定される。例えば、図２に示したようなセンサ群１の各センサ検出信号（計測値）が得られた場合には、時刻００：２０に主蒸気管破断の条件を満たすので、事故事象として主蒸気管破断が発生したと推定する。
【００２１】
なお、図３において、事故事象を推定するのに用いる各センサの計測値の項目については、すべての項目には該当しない場合（すなわち、一部該の項目にのみ該当する場合）においては、該当する項目の割合などに応じて確度を設定し事故事象を推定してもよい。例えば、事故事象として主蒸気管破断を推定するための４項目の計測値のうち３項目のみに該当する場合、事故事象として主蒸気管破断が発生したと確度７５％で推定する。
【００２２】
プラントシミュレータ４は、センサ信号入力装置２を介して入力された各センサの検出信号（計測値）と、事故事象推定装置３により推定された事故事象とに基づいて、将来のプラント状態を解析する。例えば、図２における時刻００：２０の原子炉水位、主蒸気流量、主蒸気温度、給水流量、給水温度を初期値とし、推定された事故事象についての解析を行う。例えば、事故事象として主蒸気管破断が推定された場合には、主蒸気配管を破断させた場合の解析を行う。プラントシミュレータ４により得られる解析結果（将来のプラント状態）は、図２に示すセンサの検出信号と同様に時系列データで示される。
【００２３】
センサ状態判定装置５は、センサ信号入力装置２を介して入力された各センサの検出信号（計測値）に基づいて、各センサの検出信号の値が妥当かどうかを判定する。例えば、冗長化等を目的として原子力プラントに複数設置された主蒸気の流量センサにより検出された主蒸気流量の複数の計測値（例えば、後の図４の主蒸気流量Ａ〜Ｄ）は、通常は相関をもって変化している。したがって、これらのセンサ間のユークリッド距離を計算し、ユークリッド距離が一定以上である場合には異常と判定する。
【００２４】
図４は、原子力プラントに複数設置された複数のセンサのうち主蒸気の流量センサにより検出された主蒸気流量の計測値を一例として示す図である。
【００２５】
図４においては、センサ状態判定装置５で取得される複数の流量センサの検出信号（計測値）の時系列データ４０を、例えば、主蒸気流量Ａ〜Ｄ（主蒸気流量４２〜４５）について取得した場合を示している。
【００２６】
センサ状態判定装置５は、例えば、主蒸気流量Ｄと主蒸気流量Ａ〜Ｃの平均値とのユークリッド距離４６が１０以上となった場合（例えば、時刻００：５０を参照）以降は主蒸気流量Ｄを検出するセンサの判定結果４７は異常と判定する。なお、ユークリッド距離４６の計算は、冗長化された一つの種類のセンサ間に限定されず、流量センサにより計測される主蒸気流量と給水センサにより計測される給水流量など、相関をもって変化するセンサの検出信号（計測値）の組み合わせを用いても良い。
【００２７】
解析結果データベース９は、予め想定された複数の事故状態について将来のプラント状態を解析した結果が格納されている。事故事象の解析は、例えば、プラントシミュレータ４のようなシミュレータによって、それぞれの事故事象に対応して予め設定された入力情報（初期値）に基づいて行われる。解析結果データベース６に格納された解析結果は、前述の図２に示すセンサの検出信号の例と同様の時系列データである。
【００２８】
解析結果検索装置８は、センサ状態判定装置５による判定結果が異常である場合に、センサ信号入力装置２を介して入力されたセンサの検出信号（計測値）に基づいて、解析結果データベース９に格納された解析結果を検索する。例えば、解析結果検索装置８は、解析結果データベース９に格納された解析結果のうち、原子力プラントに配置された複数のセンサからの検出信号（計測値）にもっとも類似した入力情報（初期値）に基づいて得られた解析結果を検索する。類似性の判断としては、例えば、センサの検出信号（計測値）と各解析結果のユークリッド距離を計算し、ユークリッド距離が最も小さい解析結果を検索結果とする。なお、解析結果の検索においては、異常と判定されたセンサの信号は用いない。
【００２９】
解析結果切換装置６は、事故事象推定装置３により推定された事故事象と、センサ状態判定装置５による判定結果の少なくとも一方に基づいて、原子力プラントの将来のプラント状態として出力する解析結果として、プラントシミュレータ４の解析結果と解析結果検索装置８により解析結果データベース９から検索された解析結果の何れを採用するかを判定し、判定結果を解析結果出力装置７に入力することによって切り換える。
【００３０】
例えば、センサ状態判定装置５により全てのセンサが正常であると判定された場合には、プラントシミュレータ４の解析結果を原子力プラントの将来のプラント状態として採用し、プラントシミュレータ４に初期条件として入力する原子炉水位、主蒸気流量、主蒸気温度、給水流量、給水温度のいずれかのセンサ信号が失われた場合には、解析結果検索装置８により解析結果データベース６から検索された解析結果を採用する。なお、ここでいうセンサ信号が失われた場合とは、主蒸気流量の例では、冗長化された主蒸気流量Ａ〜Ｄのいずれのセンサ信号についても、センサ信号そのものが計測できないか、或いは、計測できてもセンサ状態判定装置５で異常と判定された場合を意味する。
【００３１】
また、その他の例としては、センサ状態判定装置５により全てのセンサが正常であると判定された場合には、プラントシミュレータ４の解析結果を原子力プラントの将来のプラント状態として採用し、事故事象推定装置３で事故事象が特定されない場合や、推定した事故事象の確度が予め定めた基準よりも低い場合に、解析結果検索装置８により解析結果データベース９から検索された解析結果を採用しても良い。すなわち、推定した事故事象の確度が予め定めた基準（例えば８０％）未満の場合は、プラントシミュレータ４によるシミュレーションによって十分な精度の解析が期待できないと判断し、解析結果検索装置８により解析結果データベース９から検索された解析結果を採用する。
【００３２】
なお、解析結果切換装置６は、プラントシミュレータ４の解析結果と解析結果検索装置８により解析結果データベース９から検索された解析結果を候補としてディスプレイ等に表示し、運転員などの確認または判断によって原子力プラントの将来のプラント状態として出力する解析結果を選択し、選択結果を解析結果出力装置７に入力することによって切り換える機能を備えてもよい。
【００３３】
解析結果出力装置７は、プラントシミュレータ４の解析結果と解析結果検索装置８により解析結果データベース９から検索された解析結果のうち、解析結果切換装置６で採用された解析結果をディスプレイ等に表示する。
【００３４】
図５は、解析結果出力装置により表示される解析結果出力画面の一例を示す図である。
【００３５】
図５において、解析結果出力画面５０には、現在時刻の表示部５１と、推定された事故事象の表示部５２と、プラント状態の表示部５３とが設けられている。図５の例では、事故事象として主蒸気管破断が生じた場合のプラント状態の一例として原子炉水位を表示する場合を示している。図５において、現在時刻００：３０までは、原子力プラントに配置されたセンサ郡１の各センサによる原子炉水位の計測値が表示されており、それ以降時刻の原子炉水位は、本願発明に係るプラント状態解析装置による解析結果の値（すなわち、原子力プラントの将来のプラント状態）を示している。
【００３６】
ここで、本実施の形態に係るプラント状態解析装置におけるプラント状態解析処理について説明する。
【００３７】
図６は、本実施の形態のプラント状態解析処理を示すフローチャートである。
【００３８】
図６において、プラント状態解析処理が実行されると、まず、プラント状態解析装置は、センサ信号入力装置２を介してセンサ信号（計測値）が入力される（ステップＳ６０）。続いて、事故事象推定装置３は、センサ信号入力装置２を介して入力されたセンサ信号（計測値）に基づいて事故事象を推定し（ステップＳ６１）、センサ状態判定装置５は、センサ信号（計測値）に基づいてセンサ群１の各センサの状態が正常であるかどうかを判定する（ステップＳ６２）。
【００３９】
ここで、解析結果切換装置６は、センサ状態判定装置５による判定結果において、センサ信号が喪失したと判定されたかどうかを確認し（ステップＳ６３）、判定結果がＮＯの場合には、事故事象推定装置３で推定された事故事象の確度が予め定めた基準よりも小さいかどうかを判定する（ステップＳ６４）。ステップＳ６４での判定結果がＮＯの場合には、解析結果切換装置６は、将来のプラント状態の解析結果として、プラントシミュレータ４での解析結果を採用するよう判定し（ステップＳ６５）、解析結果出力装置７は、解析結果切換装置６の判定結果に基づいて、プラントシミュレータ４での解析結果を原子力プラントの将来のプラント状態として出力し（ステップＳ６６）、処理を終了する。
【００４０】
また、ステップＳ６３での判定結果がＹＥＳの場合、或いは、ステップＳ６４での判定結果がＹＥＳの場合には、解析結果切換装置６は、将来のプラント状態の解析結果として、解析結果検索装置８により解析結果データベース９から検索された解析結果を採用するよう判定し（ステップＳ６７）、解析結果出力装置７は、解析結果切換装置６の判定結果に基づいて、解析結果検索装置８により解析結果データベース９から検索された解析結果を原子力プラントの将来のプラント状態として出力し（ステップＳ６８）、処理を終了する。
【００４１】
なお、ステップＳ６０〜Ｓ６２の手順は、センサ信号を入力するたび（例えば１秒ごと）に実施し、ステップＳ６３〜Ｓ６８の手順は、事故事象やセンサ状態が変化した場合に実施するよう構成してもよい。
【００４２】
以上のように構成した本実施の形態における作用効果を説明する。
【００４３】
原子力プラントにおいて事故や異常が発生した場合、或いはそれらが進展した場合には、原子力プラントに配置されたセンサからの検出信号の一部が失われることが考えられるが、この場合には、将来のプラント状態を解析するための条件として必要なパラメータが失われることとなり、従来技術においては、事故事象の推定だけではなく、将来のプラント状態を解析して予測することが困難になってしまうという問題点があった。
【００４４】
これに対し、本実施の形態においては、原子力プラントに配置された複数のセンサからの検出信号に基づいて原子力プラントの事故事象を推定する事故事象推定装置３と、複数のセンサからの検出信号と事故事象推定装置３で推定された事故事象とに基づいて、原子力プラントの将来のプラント状態を解析するプラントシミュレータ４と、予め想定された複数の事故事象のそれぞれに対応して設定された入力情報に基づいて予め解析された将来のプラント状態の解析結果が格納された解析結果データベース９と、複数のセンサからの検出信号に基づいて、解析結果データベース９に格納された解析結果を検索する解析結果検索装置８と、複数のセンサからの検出信号に基づいて、複数のセンサの状態が正常であるかどうかを判定するセンサ状態判定装置５とを備え、解析結果切換装置６によって、原子力プラントの将来のプラント状態として出力する解析結果を、プラントシミュレータ４の解析結果と解析結果検索装置８により解析結果データベース９から検索された解析結果の何れを採用するかを判定し、解析結果出力装置７で出力する解析結果を切り換えるように構成したので、原子力プラントの一部のセンサからの検出信号が失われ、事故事象の推定が困難になった場合や、シミュレーションが困難になった場合でも、将来のプラント状態を予測することができる。
【００４５】
すなわち、プラントシミュレータ４によるシミュレーションによって十分な精度での解析が期待できる場合には、事故事象が発生した時刻にセンサ信号入力装置２を介して入力されるセンサ信号（計測値）を反映することができ、事故事象の発生時刻や、間隔などを反映することができるため、解析結果データベース９に格納された解析結果を用いる場合と比較して精度のよい解析結果の出力が可能である。
【００４６】
また、プラントシミュレータ４によるシミュレーションによって十分な精度での解析が期待できない場合には、予め想定された事故事象に限定されるものの、いくつかのセンサ信号が失われた過酷な事故条件下でも、その時点で有効なセンサ信号を用いて、最も類似した（最も有効な）解析結果を出力することが可能である。
【００４７】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、上記の各構成、機能等は、それらの一部又は全部を、例えば集積回路で設計する等により実現してもよい。また、上記の各構成、機能等は、プロセッサがそれぞれの機能を実現するプログラムを解釈し、実行することによりソフトウェアで実現してもよい。例えば、事故事象推定装置３、プラントシミュレータ４、センサ状態判定装置５、解析結果検索装置８、及び解析結果切換装置６を計算機のプログラムとして実施してもよい。また、解析結果データベース９を計算機内に含めた構成としてもよい。
【符号の説明】
【００４８】
１  センサ群（複数のセンサ）
２  センサ信号入力装置
３  事故事象推定装置
４  プラントシミュレータ
５  センサ状態判定装置
６  解析結果切換装置
７  解析結果出力装置
８  解析結果検索装置
９  解析結果データベース
５０  解析結果出力画面
【図１】
2016080585.tif 000003
【図２】
2016080585.tif 000004
【図３】
2016080585.tif 000005
【図４】
2016080585.tif 000006
【図５】
2016080585.tif 000007
【図６】
2016080585.tif 000008